(57)【特許請求の範囲】
【請求項１】
端末側に設けられたスマートカードの遠隔制御方法であって、
スマートカード管理プラットフォームにより、
ユーザから、前記スマートカードのロック／ロック解除動作要求を受信し、
前記受信した後、モバイルネットワークプラットフォームを介して、前記端末側とショートメッセージインタラクションを行い、
前記スマートカードのロック／ロック解除動作を行うように前記端末側を制御し、
前記端末側は、モバイル端末をさらに含み、
前記スマートカード管理プラットフォームにより、前記端末側とショートメッセージインタラクションを行うステップは、
前記スマートカード管理プラットフォームにより、前記モバイルネットワークプラットフォームを介して、前記スマートカードが設けられたモバイル端末の状態情報を検索し、
前記モバイル端末が正常使用状態にある場合、前記モバイルネットワークプラットフォームにより送信されたロック／ロック解除ショートメッセージを受信し、前記モバイル端末により前記ロック／ロック解除ショートメッセージに含まれるコマンドを実行し、前記スマートカードのロック／ロック解除動作を行い、
前記スマートカードが設けられたモバイル端末がオフライン状態にある場合、前記スマートカードをロック状態待ち又はロック解除待ち状態に更新することを含む
スマートカード遠隔制御方法。
【請求項２】
前記方法は、さらに、
前記モバイル端末により前記スマートカードのロック／ロック解除動作を行った後、前記スマートカードをロック状態又はロック解除状態にする
請求項１に記載の方法。
【請求項３】
前記方法は、さらに、
前記スマートカードのロック／ロック解除動作を行った後、前記モバイル端末により、前記モバイルネットワークプラットフォームに実行成功ショートメッセージを返す
請求項２に記載の方法。
【請求項４】
前記モバイル端末が前記ロック／ロック解除ショートメッセージに含まれるコマンドを実行し、前記スマートカードのロック／ロック解除動作を行うステップは、
前記モバイル端末により、前記スマートカードのハードウェアをロックすることで前記スマートカードの機能を無効化し、前記スマートカードの前記ハードウェアのロックを解除することで前記スマートカードの機能を有効化し、又は
前記モバイル端末により、プリインストールソフトウェアを実行することで、前記スマートカードの機能を無効化又は有効化する
請求項１に記載の方法。
【請求項５】
前記スマートカード管理プラットフォームが前記端末側とショートメッセージインタラクションを行うステップは、さらに、
前記スマートカード管理プラットフォームが端末側から返される実行成功ショートメッセージを所定時間内に受信していない場合、前記スマートカード管理プラットフォームにより、前記モバイルネットワークプラットフォームを介して、前記端末側に前記ロック／ロック解除ショートメッセージを引き続き送信する
請求項３に記載の方法。
【請求項６】
前記方法は、さらに、
前記スマートカード管理プラットフォームが前記モバイルネットワークプラットフォームを介して前記端末側に前記ロック／ロック解除ショートメッセージを送信する回数が所定回数を超過する場合、前記スマートカード管理プラットフォームにより、前記ロック／ロック解除ショートメッセージの送信を停止する
請求項５に記載の方法。
【請求項７】
前記方法は、さらに、
前記スマートカード管理プラットフォームが前記モバイルネットワークプラットフォームを介して前記端末側に前記ロック／ロック解除ショートメッセージを送信する回数が所定回数である場合、前記スマートカード管理プラットフォームにより、所定時間ごとに前記端末側に前記ロック／ロック解除ショートメッセージを送信する
請求項５に記載の方法。
【請求項８】
前記方法は、さらに、
前記スマートカードが設けられたモバイル端末がオフライン状態にある場合、前記スマートカード管理プラットフォームにより、前記スマートカードの状態をロック状態待ち又はロック解除待ち状態に更新する
請求項５に記載の方法。
【請求項９】
前記方法は、さらに、
オフライン状態にある、前記スマートカードが設けられたモバイル端末がパワーオンされ又はサービスエリア内に入った場合、前記スマートカード管理プラットフォームにより、前記スマートカードが設けられたモバイル端末に前記ロック／ロック解除ショートメッセージを引き続き送信する
請求項８に記載の方法。
【請求項１０】
前記スマートカード管理プラットフォームにより、前記スマートカードが設けられたモバイル端末に前記ロック／ロック解除ショートメッセージを引き続き送信するステップは、
前記スマートカード管理プラットフォームが前記端末側に前記ロック／ロック解除ショートメッセージを送信する回数が所定回数である場合、前記スマートカード管理プラットフォームにより、所定時間ごとに前記端末側に前記ロック／ロック解除ショートメッセージを送信する
請求項９に記載の方法。
【請求項１１】
前記方法は、さらに、前記スマートカードをロック状態待ち又はロック解除待ち状態に更新した後、
オフライン状態にある、前記スマートカードが設けられたモバイル端末が、正常使用状態に復帰し、前記モバイルネットワークプラットフォームに登録し、
前記モバイルネットワークプラットフォームにより、前記スマートカードが設けられたモバイル端末にロック／ロック解除コマンドを送信し、
前記モバイル端末により、ロック／ロック解除コマンドを実行する
請求項１に記載の方法。
【請求項１２】
前記オフライン状態は、
前記モバイル端末がパワーオフ状態にあること、又は
前記モバイル端末がサービスエリアに位置しないことである
請求項１１に記載の方法。
【請求項１３】
前記方法は、さらに、前記スマートカード管理プラットフォームがユーザから前記要求を受信した後、
前記スマートカード管理プラットフォームにより、前記スマートカードが有効であるかどうかを判断する
請求項１に記載の方法。
【請求項１４】
前記方法は、さらに、前記スマートカード管理プラットフォームが前記モバイルネットワークプラットフォームを介して前記端末側とショートメッセージインタラクションを行う前に、
前記モバイルネットワークプラットフォームと前記端末側とがセキュリティ認証を行う
請求項１に記載の方法。
【請求項１５】
前記モバイルネットワークプラットフォームと前記端末側とがセキュリティ認証を行うステップは、
前記スマートカードが設けられたモバイル端末により、前記ロック／ロック解除ショートメッセージを受信し、
前記受信した後、前記モバイル端末により、前記メッセージが、前記スマートカード管理プラットフォームからのロック／ロック解除ショートメッセージであるかどうかを判断し、
前記メッセージがスマートカード管理プラットフォームからのロック／ロック解除ショートメッセージである場合、当該ロック／ロック解除ショートメッセージに含まれるコマンドに従って、対応するスマートカードロック／ロック解除機能を実行し、
前記スマートカードが設けられたモバイル端末により、前記スマートカード管理プラットフォームに実行成功ショートメッセージを返し、
前記メッセージがスマートカード管理プラットフォームからのロック／ロック解除ショートメッセージではない場合、一般的なショートメッセージとして処理する
請求項１４に記載の方法。
【請求項１６】
前記スマートカード管理プラットフォームがモバイルネットワークプラットフォームを介して前記スマートカードが設けられたモバイル端末の状態情報を検索するステップは、
前記スマートカード管理プラットフォームにより、前記モバイルネットワークプラットフォームを介して、前記モバイル端末のモバイル識別コード及び位置エリア情報に応じて前記モバイル端末の状態情報を検出する
請求項１に記載の方法。
【請求項１７】
前記スマートカードのロック／ロック解除動作を行うステップは、
前記スマートカード又は前記スマートカードの決済アプリケーションのロック／ロック解除動作を行う
請求項１〜１６のいずれか１項に記載の方法。
【請求項１８】
前記方法は、さらに、
前記スマートカード管理プラットフォームにより、ベアラ独立プロトコルを含む無線ダウンロード技術を介して、端末側と、ロック／ロック解除コマンドのインタラクションを行う
請求項１〜１６のいずれか１項に記載の方法。
【請求項１９】
スマートカード遠隔制御方法であって、
スマートカード監視プラットフォームにより、ユーザによるスマートカード不正使用行為又は不正行為の修正を検出し、スマートカード管理プラットフォームに通知し、
前記スマートカード管理プラットフォームにより、端末側とショートメッセージインタラクションを行うことで、前記スマートカードのロック／ロック解除を完了するように前記端末側を制御し、
前記スマートカード管理プラットフォームにより、前記端末側とショートメッセージインタラクションを行うステップは、
前記スマートカード管理プラットフォームにより、モバイルネットワークプラットフォームを介して、前記スマートカードが設けられたモバイル端末の状態情報を検索し、
前記モバイル端末が正常使用状態にある場合、前記モバイルネットワークプラットフォームにより前記モバイル端末にロック／ロック解除ショートメッセージコマンドを送信し、前記モバイル端末により、前記ロック／ロック解除ショートメッセージコマンドを実行して前記スマートカードをロック／ロック解除し、
前記スマートカードが設けられたモバイル端末がオフライン状態にある場合、前記モバイルネットワークプラットフォームにより、前記スマートカードの状態をロック状態待ち又はロック解除待ち状態に更新することを含む
スマートカード遠隔制御方法。
【請求項２０】
前記スマートカード管理プラットフォームにより、モバイルネットワークプラットフォームを介して前記スマートカードが設けられたモバイル端末の状態情報を検索するステップは、
前記スマートカード管理プラットフォームにより、前記モバイルネットワークプラットフォームを介して、前記モバイル端末のモバイル識別コード及び位置エリア情報に応じて前記モバイル端末の状態情報を検出する
請求項１９に記載の方法。
【請求項２１】
前記方法は、さらに、前記モバイル端末により、前記ロック／ロック解除ショートメッセージコマンドを実行して前記スマートカードをロック／ロック解除した後、
前記モバイル端末により、前記モバイルネットワークプラットフォームに実行成功ショートメッセージを送信し、
前記モバイルネットワークプラットフォームにより、前記スマートカードの状態をロック状態又はロック解除状態に変更する
請求項２０に記載の方法。
【請求項２２】
ロック／ロック解除ショートメッセージに含まれるコマンドを送信するモバイルネットワークプラットフォームと、
前記ロック／ロック解除ショートメッセージに含まれる前記コマンドを実行してスマートカードをロック／ロック解除するモバイル端末と
を含み、
前記モバイルネットワークプラットフォームは、さらに、
前記スマートカードが設けられたモバイル端末の状態情報を検索し、
スマートカードが設けられたモバイル端末が正常パワーオン状態にある場合、モバイルネットワークプラットフォームによりスマートカードが設けられたモバイル端末にロック／ロック解除コマンドを送信し、スマートカードが設けられたモバイル端末により、ロック／ロック解除コマンドを実行してスマートカードをロック／ロック解除し、
スマートカードが設けられたモバイル端末がオフライン状態にある場合、モバイルネットワークプラットフォームにより、スマートカードの状態をロック待ち／ロック解除待ち状態に更新する
スマートカード遠隔制御システム。
【請求項２３】
ユーザからの要求を受信し、前記モバイルネットワークプラットフォームを介して前記モバイル端末とショートメッセージインタラクションを行うスマートカード管理プラットフォームを更に含む
請求項２２に記載のシステム。
【請求項２４】
モバイル端末が正常使用状態にある場合に、前記モバイル端末にロック／ロック解除ショートメッセージコマンドを送信する送信モジュールと、
スマートカードが設けられたモバイル端末の状態情報を検索する検索モジュールと、
モバイル端末及び前記スマートカードがオンライン状態にあり且つロック／ロック解除プロセスの実行が成功した場合、前記スマートカードの状態をロック／ロック解除状態に更新し、前記モバイル端末及び前記スマートカードがオフライン状態にある場合、前記スマートカードの状態をロック待ち／ロック解除待ち状態に更新する変更モジュールと
を含むモバイルネットワークプラットフォーム。
【請求項２５】
前記スマートカードのロック／ロック解除は、前記スマートカードのロック／ロック解除又は前記スマートカードの決済アプリケーションのロック／ロック解除である
請求項２４に記載のモバイルネットワークプラットフォーム。
【請求項２６】
前記モバイルネットワークプラットフォームは、
前記モバイル端末にロック／ロック解除コマンドを送信する時間を設定するタイミングモジュールを更に含む
請求項２５に記載のモバイルネットワークプラットフォーム。
【請求項２７】
前記送信モジュールは、ベアラ独立プロトコルを含む無線ダウンロード技術を介してロック／ロック解除コマンドを送信する
請求項２４〜２６のいずれか１項に記載のモバイルネットワークプラットフォーム。
【発明の詳細な説明】
【技術分野】
【０００１】
本発明は、スマートカード（ＩＣ（integrated circuit）カード）技術に関し、特に、スマートカード遠隔制御方法及びシステムに関する。
【背景技術】
【０００２】
電子決済とは、コンピュータネットワークシステム内での資金流通及び決済をいう。電子決済は、商用電子ツール及び各種電子通貨を媒介として、コンピュータ及び通信技術を手段として、電子データ保存及び伝送の形式を介して行われる。
【０００３】
近年、インターネット、モバイル通信及びコンピュータ等の技術を組み合わせることで、モバイル決済に代表されるモバイル電子商取引が行われている。新規な電子決済方式としてのモバイル決済には、たくさんのメリットがある。例えば、場所と時間を選ばず、便利で、迅速で、低コストである等のメリットがある。消費者は、携帯電話を１台持ちさえすれば、資金調達や商取引を行うことができ、モバイル決済の利便性を享受することができる。今日、電子商取引において、携帯電話による決済は、新たな焦点になっている。
【０００４】
また、近年の調査によれば、回答者の８２％は、もし携帯電話が紛失した又は盗難に合った場合、他人が携帯電話（スマートカードを含む）に保存された情報を利用して不正行為を行うことを心配している。同時に、回答者の９０％は、紛失した携帯電話に保存された個人データ及び金融データが流用されることを心配している。さらに、回答者の７２％は、携帯電話に保存された情報が非常に重要で、他に替え難いものであると認識している。ユーザは、携帯電話を用いて各種の作業（例えば、電子決済等）を行う。このため、携帯電話を紛失することは、ユーザにとって大きな災難である。今回の調査によれば、回答者の９１％は、電子決済に用いる携帯電話を紛失すると、大きな損失が生じると回答している。同時に、携帯電話に対するユーザの依存度がますます大きくなるにつれて、事業者はユーザに安心感をもたらす必要がある。携帯電話事業者にとって、幅広く携帯電話が利用されることは好ましいことである反面、犯罪を防止するために、ユーザ個人データ情報のセキュリティ及び管理レベルを強化する必要がある。現在、電子決済機能を搭載した携帯電話の紛失又は盗難後の処理に関して、解決策が提案されている。しかしながら、これらの解決策にはいくつか不備がある。例えば、システムが現在の決済プロセスと著しく異なり、大きな修正をする必要がある。あるいは、システムのセキュリティが不十分であるため、ユーザの決済情報が他人によって不法に使用されて、虚偽の決済が行われる。あるいは、システムが携帯電話の紛失に対する処理をリアルタイムに行うことができなければ、ユーザに大きな損失をもたらすことになり、ユーザに不安感を与えてしまう。現在、有効な解決策はまだ提案されていない。
【発明の概要】
【発明が解決しようとする課題】
【０００５】
関連技術においては、電子決済用携帯電話の紛失・盗難後の処理に関するシステムは、現在の決済フローと著しく異なるため、大きな修正を要する。さらに、ショートメッセージの遅延、紛失及びこれらに準ずる状況が考慮されていない。また、システム負荷とユーザのスマートカードのセキュリティとのバランスが考慮されていない。このため、ユーザにとって極めて不便なものとなっている。以上に鑑み、本発明の主な目的は、上記課題を解決することが可能なスマートカード遠隔制御方法及びシステムを提供することにある。
【課題を解決するための手段】
【０００６】
前記目的を実現するため、本発明の一側面によれば、スマートカード遠隔制御方法が提供される。
本発明に係るスマートカード遠隔制御方法は、端末側に設けられたスマートカードの遠隔制御方法であって、スマートカード管理プラットフォームにより、ユーザから、前記スマートカードのロック／ロック解除動作要求を受信し、前記受信した後、モバイルネットワークプラットフォームを介して、前記端末側とショートメッセージインタラクションを行い、前記スマートカードのロック／ロック解除動作を行うように前記端末側を制御する。
【０００７】
好ましくは、前記端末側は、モバイル端末をさらに含み、前記スマートカード管理プラットフォームにより、前記端末側とショートメッセージインタラクションを行うステップは、前記モバイル端末が正常使用状態にある場合、前記モバイルネットワークプラットフォームにより送信されたロック／ロック解除ショートメッセージを受信し、前記モバイル端末により、前記ロック／ロック解除ショートメッセージに含まれるコマンドを実行し、前記スマートカードのロック／ロック解除動作を行う。
【０００８】
好ましくは、前記方法は、さらに、前記モバイル端末により前記スマートカードのロック／ロック解除動作を行った後、前記スマートカードをロック状態又はロック解除状態にする。
【０００９】
好ましくは、前記方法は、さらに、前記スマートカードのロック／ロック解除動作を行った後、前記モバイル端末により、前記モバイルネットワークプラットフォームに実行成功ショートメッセージを返す。
【００１０】
好ましくは、前記モバイル端末が前記ロック／ロック解除ショートメッセージに含まれるコマンドを実行し、前記スマートカードのロック／ロック解除動作を行うステップは、前記モバイル端末により、前記スマートカードのハードウェアをロックすることで前記スマートカードの機能を無効化し、前記スマートカードの前記ハードウェアのロックを解除することで前記スマートカードの機能を有効化し、又は前記モバイル端末により、プリインストールソフトウェアを実行することで、前記スマートカードの機能を無効化又は有効化する。
【００１１】
好ましくは、前記スマートカード管理プラットフォームが前記端末側とショートメッセージインタラクションを行うステップは、さらに、前記スマートカード管理プラットフォームが端末側から返される実行成功ショートメッセージを所定時間内に受信していない場合、前記スマートカード管理プラットフォームにより、前記モバイルネットワークプラットフォームを介して、前記端末側に前記ロック／ロック解除ショートメッセージを引き続き送信する。
【００１２】
好ましくは、前記方法は、さらに、前記スマートカード管理プラットフォームが前記モバイルネットワークプラットフォームを介して前記端末側に前記ロック／ロック解除ショートメッセージを送信する回数が所定回数を超過する場合、前記スマートカード管理プラットフォームにより、前記ロック／ロック解除ショートメッセージの送信を停止する。
【００１３】
好ましくは、前記方法は、さらに、前記スマートカード管理プラットフォームが前記モバイルネットワークプラットフォームを介して前記端末側に前記ロック／ロック解除ショートメッセージを送信する回数が所定回数である場合、前記スマートカード管理プラットフォームにより、所定時間ごとに前記端末側に前記ロック／ロック解除ショートメッセージを送信する。
【００１４】
好ましくは、前記方法は、さらに、前記スマートカードが設けられたモバイル端末がオフライン状態にある場合、前記スマートカード管理プラットフォームにより、前記スマートカードの状態をロック状態待ち又はロック解除待ち状態に更新する。
【００１５】
好ましくは、前記方法は、さらに、オフライン状態にある、前記スマートカードが設けられたモバイル端末がパワーオンされ又はサービスエリア内に入った場合、前記スマートカード管理プラットフォームにより、前記スマートカードが設けられたモバイル端末に前記ロック／ロック解除ショートメッセージを引き続き送信する。
【００１６】
好ましくは、前記スマートカード管理プラットフォームにより、前記スマートカードが設けられたモバイル端末に前記ロック／ロック解除ショートメッセージを引き続き送信するステップは、前記スマートカード管理プラットフォームが前記端末側に前記ロック／ロック解除ショートメッセージを送信する回数が所定回数である場合、前記スマートカード管理プラットフォームにより、所定時間ごとに前記端末側に前記ロック／ロック解除ショートメッセージを送信する。
【００１７】
好ましくは、前記方法は、さらに、前記スマートカードが設けられたモバイル端末がオフライン状態にある場合、前記スマートカードをロック状態待ち又はロック解除待ち状態に更新する。
【００１８】
好ましくは、前記方法は、さらに、前記スマートカードをロック状態待ち又はロック解除待ち状態に更新した後、オフライン状態にある、前記スマートカードが設けられたモバイル端末が、正常使用状態に復帰し、前記モバイルネットワークプラットフォームに登録し、前記モバイルネットワークプラットフォームにより、前記スマートカードが設けられたモバイル端末にロック／ロック解除コマンドを送信し、前記モバイル端末により、ロック／ロック解除コマンドを実行する。
【００１９】
好ましくは、前記オフライン状態は、前記モバイル端末がパワーオフ状態にあること、又は前記モバイル端末がサービスエリアに位置しないことである。
【００２０】
好ましくは、前記方法は、さらに、前記スマートカード管理プラットフォームがユーザから前記要求を受信した後、前記スマートカード管理プラットフォームにより、前記スマートカードが有効であるかどうかを判断する。
【００２１】
好ましくは、前記方法は、さらに、前記スマートカード管理プラットフォームが前記モバイルネットワークプラットフォームを介して前記端末側とショートメッセージインタラクションを行う前に、前記モバイルネットワークプラットフォームと前記端末側とがセキュリティ認証を行う。
【００２２】
好ましくは、前記モバイルネットワークプラットフォームと前記端末側とがセキュリティ認証を行うステップは、前記スマートカードが設けられたモバイル端末により、前記ロック／ロック解除ショートメッセージを受信し、前記受信した後、前記モバイル端末により、前記メッセージが、前記スマートカード管理プラットフォームからのロック／ロック解除ショートメッセージであるかどうかを判断し、前記メッセージがスマートカード管理プラットフォームからのロック／ロック解除ショートメッセージである場合、当該ロック／ロック解除ショートメッセージに含まれるコマンドに従って、対応するスマートカードロック／ロック解除機能を実行し、前記スマートカードが設けられたモバイル端末により、前記スマートカード管理プラットフォームに実行成功ショートメッセージを返し、前記メッセージがスマートカード管理プラットフォームからのロック／ロック解除ショートメッセージではない場合、一般的なショートメッセージとして処理する。
【００２３】
好ましくは、前記方法は、さらに、前記スマートカード管理プラットフォームがユーザから前記スマートカードのロック／ロック解除動作要求を受信した後、前記スマートカード管理プラットフォームにより、前記モバイルネットワークプラットフォームを介して、前記スマートカードが設けられたモバイル端末の状態情報を検索する。
【００２４】
好ましくは、前記スマートカード管理プラットフォームがモバイルネットワークプラットフォームを介して前記スマートカードが設けられたモバイル端末の状態情報を検索するステップは、前記スマートカード管理プラットフォームにより、前記モバイルネットワークプラットフォームを介して、前記モバイル端末のモバイル識別コード及び位置エリア情報に応じて前記モバイル端末の状態情報を検出する。
【００２５】
好ましくは、前記スマートカードのロック／ロック解除動作を行うステップは、前記スマートカード又は前記スマートカードの決済アプリケーションのロック／ロック解除動作を行う。
【００２６】
好ましくは、前記方法は、さらに、前記スマートカード管理プラットフォームにより、ベアラ独立プロトコルを含む無線ダウンロード技術を介して、端末側と、ロック／ロック解除コマンドのインタラクションを行う。
【００２７】
前記目的を実現させるために、本発明の一側面によれば、スマートカード遠隔制御方法が提供される。スマートカード監視プラットフォームにより、ユーザによるスマートカード不正使用行為又は不正行為の修正を検出し、スマートカード管理プラットフォームに通知し、前記スマートカード管理プラットフォームにより、前記端末側とショートメッセージインタラクションを行うことで、前記スマートカードのロック／ロック解除を完了するように前記端末側を制御する。
【００２８】
好ましくは、前記スマートカード管理プラットフォームにより、前記端末側とショートメッセージインタラクションを行うことで、前記スマートカードのロック／ロック解除を完了するように前記端末側を制御するステップは、前記スマートカード管理プラットフォームにより、モバイルネットワークプラットフォームを介して、前記スマートカードが設けられたモバイル端末の状態情報を検索し、前記モバイル端末が正常使用状態にある場合、前記モバイルネットワークプラットフォームにより、前記モバイル端末に、ロック／ロック解除ショートメッセージコマンドを送信し、前記モバイル端末により、前記ロック／ロック解除ショートメッセージコマンドを実行して前記スマートカードをロック／ロック解除する。
【００２９】
好ましくは、前記スマートカード管理プラットフォームにより、モバイルネットワークプラットフォームを介して前記スマートカードが設けられたモバイル端末の状態情報を検索するステップは、前記スマートカード管理プラットフォームにより、前記モバイルネットワークプラットフォームを介して、前記モバイル端末のモバイル識別コード及び位置エリア情報に応じて前記モバイル端末の状態情報を検出する。
【００３０】
好ましくは、前記方法は、さらに、前記モバイル端末により、前記ロック／ロック解除ショートメッセージコマンドを実行して前記スマートカードをロック／ロック解除した後、前記モバイル端末により、前記モバイルネットワークプラットフォームに実行成功ショートメッセージを送信し、前記モバイルネットワークプラットフォームにより、前記スマートカードの状態をロック状態又はロック解除状態に変更する。
【００３１】
好ましくは、前記方法は、さらに、前記スマートカード管理プラットフォームがモバイルネットワークプラットフォームを介して前記スマートカードが設けられたモバイル端末の状態情報を検索した後、前記スマートカードが設けられたモバイル端末がオフライン状態にある場合、前記モバイルネットワークプラットフォームにより、前記スマートカードの状態をロック状態待ち又はロック解除待ち状態に更新する。
【００３２】
前記目的を実現させるために、本発明の一側面によれば、スマートカード遠隔制御システムが提供される。
前記システムは、ロック／ロック解除ショートメッセージに含まれるコマンドを送信するモバイルネットワークプラットフォームと、前記ロック／ロック解除ショートメッセージに含まれる前記コマンドを実行してスマートカードをロック／ロック解除するモバイル端末とを含む。
【００３３】
好ましくは、当該システムは、ユーザからの要求を受信し、前記モバイルネットワークプラットフォームを介して前記モバイル端末とショートメッセージインタラクションを行うスマートカード管理プラットフォームを更に含む。
【００３４】
好ましくは、前記モバイルネットワークプラットフォームは、さらに、前記スマートカードが設けられたモバイル端末の状態情報を検索する。
【００３５】
本発明に係るモバイル端末は、スマートカードと、スマートカードのロック／ロック解除ショートメッセージ要求を受信する受信モジュールと、前記スマートカードのロック／ロック解除を実行する実行モジュールとを含む。
【００３６】
好ましくは、前記スマートカードのロック／ロック解除は、前記スマートカードのロック／ロック解除又は前記スマートカードの決済アプリケーションに対するロック／ロック解除である。
【００３７】
好ましくは、前記モバイル端末は、実行成功ショートメッセージを送信する送信モジュールを更に含む。
【００３８】
本発明に係るモバイルネットワークプラットフォームは、モバイル端末が正常使用状態にある場合に、前記モバイル端末にロック／ロック解除ショートメッセージコマンドを送信する送信モジュールと、モバイル端末及び前記スマートカードがオンライン状態にあり且つロック／ロック解除プロセスの実行が成功した場合、前記スマートカードの状態をロック／ロック解除状態に更新し、前記モバイル端末及び前記スマートカードがオフライン状態にある場合、前記スマートカードの状態をロック待ち／ロック解除待ち状態に更新する変更モジュールと
を含む。
【００３９】
好ましくは、前記スマートカードのロック／ロック解除は、前記スマートカードのロック／ロック解除又は前記スマートカードの決済アプリケーションのロック／ロック解除である。
【００４０】
好ましくは、前記モバイルネットワークプラットフォームは、前記モバイル端末にロック／ロック解除コマンドを送信する時間を設定するタイミングモジュールを更に含む。
【００４１】
好ましくは、前記送信モジュールは、ベアラ独立プロトコルを含む無線ダウンロード技術を介してロック／ロック解除コマンドを送信する。
【００４２】
関連技術によれば、電子決済用携帯電話の紛失・盗難後の処理に関するシステムは、現在の決済フローと著しく異なるため、大きな修正を要する。さらに、ショートメッセージの遅延や紛失及びこれに準ずる状況が考慮されていない。また、システム負荷とユーザのスマートカードのセキュリティとのバランスが考慮されていない。このため、ユーザにとって極めて不便なものとなっている。本発明によれば、このような問題を以下の処理により解決する。すなわち、スマートカード管理プラットフォームにより、ユーザから、前記スマートカードのロック／ロック解除動作要求を受信し、モバイルネットワークプラットフォームを介して、前記端末側とショートメッセージインタラクションを行い、スマートカードのロック／ロック解除動作を行うように前記端末側を制御する。これにより、次のような効果が達成される。すなわち、スマートカード及びスマートカードが設けられたモバイル端末が強奪、紛失又は盗難されたり、重大な不正行為が発生した場合、ユーザが、ショートメッセージを用いて、スマートカード監視事業部に、スマートカード及び端末のロック／ロック解除及びスマートカードの無効化／有効化を要求することができる。これにより、ユーザ及びスマートカード関連事業部のセキュリティを最大限保護し、柔軟性の高いシステムを提供することができる。
【図面の簡単な説明】
【００４３】
【図１】本発明の実施形態に係るスマートカード遠隔制御方法のフローチャートである。
【図２】本発明の実施形態に係るスマートカード遠隔制御方法の好ましいフローチャートである。
【図３】本発明の実施形態に係るスマートカード遠隔制御方法の好ましいフローチャートである。
【図４】本発明の実施形態に係るネットワーク側のステートマシンの模式図である。
【図５】本発明の実施形態に係る端末側のステートマシンの模式図である。
【図６】本発明の実施形態に係るシステムショートメッセージインタラクションの模式図である。
【図７】本発明の実施形態に係るスマートカード遠隔制御方法の好ましいフローチャートである。
【図８】本発明の実施形態に係るスマートカード遠隔制御方法の好ましいフローチャートである。
【図９】本発明の実施形態に係るスマートカード遠隔制御方法の好ましいフローチャートである。
【図１０】本発明の実施形態に係るスマートカード遠隔制御方法の好ましいフローチャートである。
【図１１】本発明の実施形態に係る好ましいスマートカード遠隔制御システムの模式図である。
【図１２】本発明の実施形態に係るモバイル端末の模式図である。
【図１３】本発明の実施形態に係るモバイルネットワークプラットフォームの模式図である。
【発明を実施するための形態】
【００４４】
関連技術においては、電子決済用携帯電話の紛失・盗難後の処理に関するシステムは、現在の決済フローと著しく異なるため、大きな修正を要する。さらに、ショートメッセージの遅延や紛失及びこれに準ずる状況が考慮されていない。また、システム負荷とユーザのスマートカードのセキュリティとのバランスが考慮されていない。このため、ユーザにとって極めて不便なものとなっている。以上に鑑み、本発明の実施形態によれば、スマートカード遠隔制御方法及びシステムが提供される。当該方法は、スマートカード管理プラットフォームにより、ユーザから、前記スマートカードのロック／ロック解除動作要求を受信し、前記受信した後、モバイルネットワークプラットフォームを介して、前記端末側とショートメッセージインタラクションを行い、前記スマートカードのロック／ロック解除動作を行うように前記端末側を制御する。
【００４５】
なお、矛盾しない限り、本願の実施形態及び実施形態における特徴が組み合わされてもよい。以下、図面及び実施形態を参照して本発明を詳細に説明する。
【００４６】
本発明の実施形態によれば、スマートカード遠隔制御方法が提供される。
【００４７】
図１は、本発明の実施形態に係るスマートカード遠隔制御方法のフローチャート図である。
【００４８】
図１に示すように、当該方法は、以下のステップを含む。
【００４９】
スマートカード管理プラットフォームは、ユーザから、スマートカードのロック／ロック解除動作（又は、それぞれ、無効化／有効化動作と称する）要求を受信する（ステップＳ１０１）。
【００５０】
スマートカード管理プラットフォームは、要求に応じて、モバイルネットワークプラットフォームを介して、端末側とショートメッセージインタラクションを行う。その結果、端末側がスマートカードロック／ロック解除動作を行う（ステップＳ１０３）。
【００５１】
以下、実施例を参照して本発明の実施形態の実現プロセスを詳細に説明する。
【００５２】
図３に示すように、また図８、図９及び図１０を参照して、本実施例におけるスマートカード遠隔制御方法は、以下のステップを含む。
【００５３】
スマートカード監視機構（例えば、決済システムプラットフォーム又はスマートカード管理プラットフォームなど）は、ユーザによるスマートカード不正使用行為又は不正行為の修正を検出する。その場合、スマートカード監視機構は、処理を行うようにスマートカード管理プラットフォームに通知する（ステップＳ１１）。
【００５４】
スマートカード管理プラットフォームは、スマートカードロック／ロック解除を実行するため、モバイルネットワークプラットフォームを介して、スマートカードが設けられた端末側とショートメッセージインタラクションを行う（ステップＳ１２）。
【００５５】
端末側は、スマートカードロック／ロック解除を完了する（ステップＳ１３）。
【００５６】
本発明の一側面によれば、ショートメッセージに基づき、電子決済用スマートカードの遠隔ロック／ロック解除動作を行う方法が提供される。図２は、本発明の実施形態に係るスマートカード遠隔制御方法の好ましいフローチャートである。図４は、本発明の実施形態に係るネットワーク側のステートマシンの模式図である。図５は、本発明の実施形態に係る端末側のステートマシンの模式図である。図２に示すように、また図４及び図５を参照して、本実施例におけるショートメッセージに基づき、電子決済用スマートカードの遠隔ロック／ロック解除動作を行う方法は、以下のステップを含む。
【００５７】
ユーザは、スマートカード管理プラットフォームに、スマートカードの無効化／有効化を要求する（ステップＳ１）。
【００５８】
スマートカード管理プラットフォームは、モバイルネットワークプラットフォームを介して、スマートカードが設けられた端末側と、スマートカードロック／ロック解除を実行するためのショートメッセージインタラクションを行う（ステップＳ２）。
【００５９】
端末側は、スマートカードロック／ロック解除を実行し、完了する（ステップＳ３）。
【００６０】
図７は、本発明の実施形態に係るスマートカード遠隔制御方法の好ましいフローチャートである。図７を参照して、上記ステップＳ２は、以下のステップを含んでもよい。
【００６１】
スマートカード管理プラットフォームは、ユーザがスマートカード管理プラットフォームに送信した、スマートカードの無効化／有効化要求（スマートカードロック／ロック解除要求を、スマートカード管理プラットフォームに送信する）を受信する。その後、スマートカード管理プラットフォームは、データベースとのマッチングを行う。スマートカード管理プラットフォームは、スマートカードが無効であると、失敗メッセージを返し、現在の処理フローを終了する。一方、スマートカード管理プラットフォームは、スマートカードが有効であると、ステップＳ１０４へ遷移する（ステップＳ１０２）。
【００６２】
スマートカード管理プラットフォームは、モバイルネットワークプラットフォームを介して、スマートカードが設けられたモバイル端末の現在の状態情報を検索する。スマートカード管理プラットフォームは、スマートカードが設けられたモバイル端末が正常パワーオン状態にある場合、ロック／ロック解除カウンタ（計数器）を初期値にし、ステップＳ１０６へ遷移する。一方、スマートカード管理プラットフォームは、スマートカードが設けられたモバイル端末がオフライン状態にある場合、ステップＳ１１２へ遷移する（ステップＳ１０４）。
【００６３】
スマートカード管理プラットフォームは、応答待ちタイマを有効にし、スマートカードが設けられたモバイル端末にロック／ロック解除ショートメッセージを送信し、端末の応答ショートメッセージを待つ（ステップＳ１０６）。
【００６４】
スマートカードが設けられたモバイル端末は、ロック／ロック解除ショートメッセージを受信する。その後、モバイル端末は、ショートメッセージの送信元に対してセキュリティ認証を行い、スマートカード管理プラットフォームからのロック／ロック解除ショートメッセージであるかどうかを判断する。モバイル端末は、スマートカード管理プラットフォームからのロック／ロック解除ショートメッセージではない場合、一般的なショートメッセージとして処理する。一方、モバイル端末は、スマートカード管理プラットフォームからのロック／ロック解除ショートメッセージである場合、当該ロック／ロック解除ショートメッセージに含まれるコマンドに従って、対応するスマートカードロック／ロック解除機能を実行する。モバイル端末は、スマートカードロック／ロック解除機能の実行が成功すると、スマートカード管理プラットフォームに実行成功ショートメッセージを返す（ステップＳ１０８）。
【００６５】
スマートカード管理プラットフォームは、端末から、スマートカードロック／ロック解除の実行成功ショートメッセージを受信する。その後、スマートカード管理プラットフォームは、スマートカードの状態をロック／ロック解除状態に変更し、ステップＳ１２０へ遷移する（ステップＳ１１０）。
【００６６】
スマートカードが設けられたモバイル端末がオフライン状態（パワーオフ状態や、パワーオンであるがサービスエリアに位置しない状態（圏外）など）にある場合、スマートカード管理プラットフォームは、スマートカードの状態をロック待ち／ロック解除待ち状態に更新する（ステップＳ１１２）。
【００６７】
ステップＳ１０４において、応答待ちタイマがタイムアウトになった後、スマートカード管理プラットフォームが、端末から返されるスマートカードロック／ロック解除実行成功ショートメッセージを受信していない場合、ステップＳ１１６へ遷移する（ステップＳ１１４）。
【００６８】
スマートカード管理プラットフォームは、ロック／ロック解除カウンタの値を、現在のロック／ロック解除カウンタの値をデクリメントした値とする。スマートカード管理プラットフォームは、ロック／ロック解除カウンタの値が０より大きい場合、ステップＳ１０６へ遷移し、ロック／ロック解除ショートメッセージを再送する。一方、スマートカード管理プラットフォームは、ロック／ロック解除カウンタの値が０以下である場合、ステップＳ１２２へ遷移する（ステップＳ１１６）。
【００６９】
オフライン状態（パワーオフ状態や、パワーオンであるがサービスエリアに位置しない状態など）にある、スマートカードが設けられたモバイル端末が、パワーオンされ又はサービスエリア内に入り、その後、モバイルネットワークプラットフォームに登録される。このとき、モバイルネットワークプラットフォームは、スマートカードが設けられたモバイル端末がロック待ち／ロック解除待ち状態にあることを検出する。この場合、スマートカード管理プラットフォームは、ロック／ロック解除カウンタを初期値にし、ステップＳ１０６へ遷移する（ステップＳ１１８）。
【００７０】
端末がスマートカードロック／ロック解除に成功すると、スマートカード管理プラットフォームは、応答待ちタイマを停止し、スマートカード有効化／無効化プロセスを終了する（ステップＳ１２０）。
【００７１】
端末がスマートカードロック／ロック解除に失敗すると、スマートカード管理プラットフォームは、応答待ちタイマを停止し、スマートカード有効化／無効化プロセスを終了する（ステップＳ１２２）。
【００７２】
この方法では、ステップＳ１０８において、スマートカードが設けられたモバイル端末は、ロック／ロック解除ショートメッセージを受信した後であって対応するスマートカードロック／ロック解除機能を実行する前に、ショートメッセージの送信元に対してセキュリティ認証を行い、スマートカード管理プラットフォームからのロック／ロック解除ショートメッセージであるかどうかを判断する。
【００７３】
なお、この方法では、スマートカード管理プラットフォームは、周期的ロック／ロック解除タイマを更に含む。この方法では、ステップＳ１２２の後、スマートカードを周期的にロック／ロック解除する。周期的ロック／ロック解除プロセスは、以下のステップを含む。
【００７４】
周期的ロック／ロック解除タイマの期間Ｍを設定し、タイマをスタートする。周期的ロック／ロック解除タイマがタイムアウトになると、ステップＳ２０４を実行する（ステップＳ２０２）。
【００７５】
モバイルネットワークプラットフォームは、スマートカードが設けられたモバイル端末の現在の状態情報を検索する。スマートカードが設けられたモバイル端末が正常パワーオン状態にある場合、ステップＳ２０６へ遷移する。一方、スマートカードが設けられたモバイル端末がオフライン状態にある場合、ステップＳ２１２へ遷移する（ステップＳ２０４）。
【００７６】
スマートカード管理プラットフォームは、応答待ちタイマを有効にし、スマートカードが設けられたモバイル端末にロック／ロック解除ショートメッセージを送信し、端末からの応答ショートメッセージを待つ（ステップＳ２０６）。
【００７７】
スマートカードが設けられたモバイル端末は、ロック／ロック解除ショートメッセージを受信する。その後、モバイル端末は、当該ロック／ロック解除ショートメッセージに含まれるコマンドに従って、対応するスマートカードロック／ロック解除機能を実行する。モバイル端末は、スマートカードロック／ロック解除機能の実行が成功すると、スマートカード管理プラットフォームに実行成功ショートメッセージを返す（ステップＳ２０８）。
【００７８】
スマートカード管理プラットフォームは、端末からのスマートカードロック／ロック解除実行成功ショートメッセージを受信した後、スマートカードの状態をロック／ロック解除状態に変更し、ステップＳ２３６へ遷移する（ステップＳ２１０）。
【００７９】
スマートカードが設けられたモバイル端末がオフライン状態（パワーオフ状態や、パワーオンであるがサービスエリアに位置しない状態など）にある場合、スマートカード管理プラットフォームは、スマートカードの状態をロック待ち／ロック解除待ち状態に更新する（ステップＳ２１２）。
【００８０】
ステップＳ２０６において、応答待ちタイマがタイムアウトになった後、スマートカード管理プラットフォームが、端末から返されるスマートカードロック／ロック解除実行成功ショートメッセージを受信していない場合、ステップＳ２１６へ遷移する（ステップＳ２１４）。
【００８１】
スマートカード管理プラットフォームは、応答待ちタイマを停止し、周期的ロック／ロック解除タイマを再開し、ステップＳ２０２へ遷移する（ステップＳ２１６）。
【００８２】
オフライン状態（パワーオフ状態や、パワーオンであるがサービスエリアに位置しない状態など）にある、スマートカードが設けられたモバイル端末が、パワーオンされ又はサービスエリア内に入り、その後、モバイルネットワークプラットフォームに登録される。このとき、モバイルネットワークプラットフォームは、スマートカードが設けられたモバイル端末がロック待ち／ロック解除待ち状態にあることを検出する。この場合、スマートカード管理プラットフォームは、ロック／ロック解除カウンタを初期値にし、ステップＳ２２６へ遷移する（ステップＳ２１８）。
【００８３】
スマートカード管理プラットフォームは、応答待ちタイマを有効にし、スマートカードが設けられたモバイル端末にロック／ロック解除ショートメッセージを送信し、端末からの応答ショートメッセージを待つ（ステップＳ２２６）。
【００８４】
スマートカードが設けられたモバイル端末は、ロック／ロック解除ショートメッセージを受信する。その後、モバイル端末は、当該ロック／ロック解除ショートメッセージに含まれるコマンドに従って、対応するスマートカードロック／ロック解除機能を実行する。モバイル端末は、スマートカードロック／ロック解除機能の実行が成功すると、スマートカード管理プラットフォームに実行成功ショートメッセージを返す（ステップＳ２２８）。
【００８５】
スマートカード管理プラットフォームは、端末からのスマートカードロック／ロック解除実行成功ショートメッセージを受信する。その後、スマートカード管理プラットフォームは、スマートカードの状態をロック／ロック解除状態に変更し、ステップＳ２３６へ遷移する（ステップＳ２３０）。
【００８６】
ステップＳ２２６において、応答待ちタイマがタイムアウトになった後、スマートカード管理プラットフォームが、端末から返されるスマートカードロック／ロック解除実行成功ショートメッセージを受信していない場合、ステップＳ２３４へ遷移する（ステップＳ２３２）。
【００８７】
スマートカード管理プラットフォームは、ロック／ロック解除カウンタの値を、現在のロック／ロック解除カウンタの値をデクリメントした値とする。スマートカード管理プラットフォームは、ロック／ロック解除カウンタの値が０より大きい場合、ステップＳ２２６へ遷移し、ロック／ロック解除ショートメッセージを再送する。一方、スマートカード管理プラットフォームは、ロック／ロック解除カウンタの値が０以下である場合、ステップＳ２０２へ遷移する（ステップＳ２３４）。
【００８８】
端末がスマートカードロック／ロック解除に成功すると、スマートカード管理プラットフォームは、応答待ちタイマ及び周期的ロック／ロック解除タイマを停止し、スマートカード有効化／無効化プロセスを終了する（ステップＳ２３６）。
【００８９】
この方法では、ステップＳ３及びステップＳ１０８において、対応するスマートカードロック／ロック解除コマンドを実行することによりスマートカードをロック／ロック解除する。このプロセスは、以下のステップを含む。
【００９０】
物理（スマートカード）ハードウェア（装置）を無効化することにより、スマートカードの機能を無効化し、物理ハードウェア（装置）を無効化することにより、スマートカードの決済機能を無効化する。あるいは、物理ハードウェア（装置）を有効化することにより、スマートカードの機能を有効化し、物理ハードウェア（装置）を有効化することにより、スマートカードの決済機能を有効化する（ステップＳ３０１）。
【００９１】
プリインストールソフトウェア（装置）を実行することにより、スマートカードの機能を無効化し、プリインストールソフトウェア（装置）を実行することにより、スマートカードの決済機能を無効化する。あるいは、プリインストールソフトウェア（装置）を実行することにより、スマートカードの機能を有効化し、プリインストールソフトウェア（装置）を実行することにより、スマートカードの決済機能を有効化する（ステップＳ３０２）。
【００９２】
上記ステップＳ３０２において、プリインストールソフトウェア（装置）は、スマートカードにプリインストールしてもよく、スマートカードが設けられたモバイル端末にプリインストールしてもよい。
【００９３】
スマートカードが設けられた端末にソフトウェアをプリインストールした場合、モバイル端末がロック／ロック解除コマンドを実行するステップは、以下のステップを含む。
【００９４】
スマートカード内の決済データを破壊する（ステップＳ４００）。
【００９５】
端末にプリインストールされたプリインストールソフトウェアのスマートカードロック／ロック解除プログラムを実行する（ステップＳ４０２）。
【００９６】
スマートカードにソフトウェアをプリインストールした場合、モバイル端末がロック／ロック解除コマンドを実行するステップは、以下のステップを含む。
【００９７】
スマートカードにプリインストールされたプリインストールソフトウェアのスマートカードロック／ロック解除プログラムを、端末にコピーする（ステップＳ５０２）。
【００９８】
スマートカード内の決済データを破壊する（ステップＳ５０４）。
【００９９】
端末にコピーされた、プリインストールソフトウェアのスマートカードロック／ロック解除プログラムを実行する（ステップＳ５０６）。
【０１００】
なお、ステップＳ１０４において、スマートカード管理プラットフォームは、モバイルネットワークプラットフォームを介して、スマートカードが設けられたモバイル端末の現在の状態情報を検索する。モバイルネットワークプラットフォームは、モバイル端末のモバイル識別コード及び位置エリア情報に応じて、モバイル端末の状態情報を検出する。
【０１０１】
ステップＳ１１８において、オフライン状態（パワーオフ状態や、パワーオンであるがサービスエリアに位置しない状態など）にある、スマートカードが設けられたモバイル端末が、パワーオンされ又はサービスエリア内に入り、その後、モバイルネットワークプラットフォームに登録される。このとき、モバイルネットワークプラットフォームは、スマートカードが設けられたモバイル端末がロック待ち／ロック解除待ち状態にあることを検出する。この場合、スマートカード管理プラットフォームは、ロック／ロック解除カウンタを初期値にセットする。
【０１０２】
図６は、本発明の実施形態に係るシステムシグナルインタラクションの模式図である。図６に示すように、ユーザとモバイルネットワークプラットフォームとの間で示されるシグナルにより、シグナルインタラクションが実現される。
【０１０３】
本発明のもう１つの側面によれば、ショートメッセージに基づく、電子決済用スマートカードの遠隔無効化／有効化方法が提供される。ここでは、管理プラットフォームは、ユーザからの要求を要さず、直接、ユーザのスマートカードを無効化／有効化し、ユーザの不正行為に対処する。図３は、本発明の実施形態に係るスマートカード遠隔制御方法の好ましいフローチャートである。図８は、本発明の実施形態に係るスマートカード遠隔制御方法の好ましいフローチャートである。図９は、本発明の実施形態に係るスマートカード遠隔制御方法の好ましいフローチャートである。図１０は、本発明の実施形態に係るスマートカード遠隔制御方法の好ましいフローチャートである。図３に示すように、また図８、図９及び図１０を参照して、本実施例におけるスマートカード遠隔制御方法は、以下のステップを含む
【０１０４】
スマートカード監視機構（例えば、決済システムプラットフォーム又はスマートカード管理プラットフォームなど）は、ユーザによるスマートカード不正使用行為又は不正行為の修正があることを検出する。その場合、スマートカード監視機構は、処理の実行をスマートカード管理プラットフォームに通知する（ステップＳ１１）。
【０１０５】
スマートカード管理プラットフォームは、スマートカードロック／ロック解除を実行するため、モバイルネットワークプラットフォームを介して、スマートカードが設けられた端末側とショートメッセージインタラクションを行う（ステップＳ１２）。
【０１０６】
端末側は、スマートカードロック／ロック解除を完了する（ステップＳ１３）。
【０１０７】
ここで、ステップＳ１１及びステップＳ１２は、以下のプロセスを含んでもよい。
【０１０８】
スマートカード管理プラットフォームは、モバイルネットワークプラットフォームを介して、スマートカードが設けられたモバイル端末の現在の状態情報を検索する。スマートカード管理プラットフォームは、スマートカードが設けられたモバイル端末が正常パワーオン状態にある場合、ロック／ロック解除カウンタを初期値にし、ステップＳ６０６へ遷移する。一方、スマートカード管理プラットフォームは、スマートカードが設けられたモバイル端末がオフライン状態にある場合、ステップＳ６１２へ遷移する（ステップＳ６０４）。
【０１０９】
スマートカード管理プラットフォームは、応答待ちタイマを有効にし、スマートカードが設けられたモバイル端末にロック／ロック解除ショートメッセージを送信し、端末の応答ショートメッセージを待つ（ステップＳ６０６）。
【０１１０】
スマートカードが設けられたモバイル端末は、ロック／ロック解除ショートメッセージを受信する。その後、モバイル端末は、ショートメッセージの送信元に対してセキュリティ認証を行い、スマートカード管理プラットフォームからのロック／ロック解除ショートメッセージであるかどうかを判断する。モバイル端末は、スマートカード管理プラットフォームからのロック／ロック解除ショートメッセージではない場合、一般的なショートメッセージとして処理する。一方、モバイル端末は、スマートカード管理プラットフォームからのロック／ロック解除ショートメッセージである場合、当該ロック／ロック解除ショートメッセージに含まれるコマンドに従って、対応するスマートカードロック／ロック解除機能を実行する。モバイル端末は、スマートカードロック／ロック解除機能の実行が成功すると、スマートカード管理プラットフォームに実行成功ショートメッセージを返す（ステップＳ６０８）。
【０１１１】
スマートカード管理プラットフォームは、端末から、スマートカードロック／ロック解除の実行成功ショートメッセージを受信する。その後、スマートカード管理プラットフォームは、スマートカードの状態をロック／ロック解除状態に変更し、ステップＳ６２０へ遷移する（ステップＳ６１０）。
【０１１２】
スマートカードが設けられたモバイル端末がオフライン状態（パワーオフ状態や、パワーオンであるがサービスエリアに位置しない状態など）にある場合、スマートカード管理プラットフォームは、スマートカードの状態をロック待ち／ロック解除待ち状態に更新する（ステップＳ６１２）。
【０１１３】
ステップＳ６０４において、応答待ちタイマがタイムアウトになった後、スマートカード管理プラットフォームが、端末から返されるスマートカードロック／ロック解除実行成功ショートメッセージを受信していない場合、ステップＳ６１６へ遷移する（ステップＳ６１４）。
【０１１４】
スマートカード管理プラットフォームは、ロック／ロック解除カウンタの値を、現在のロック／ロック解除カウンタの値をデクリメントした値とする。スマートカード管理プラットフォームは、ロック／ロック解除カウンタの値が０より大きい場合、ステップＳ６０６へ遷移し、ロック／ロック解除ショートメッセージを再送する。一方、スマートカード管理プラットフォームは、ロック／ロック解除カウンタの値が０以下である場合、ステップＳ６２２へ遷移する（ステップＳ６１６）。
【０１１５】
オフライン状態（パワーオフ状態や、パワーオンであるがサービスエリアに位置しない状態など）にある、スマートカードが設けられたモバイル端末が、パワーオンされ又はサービスエリア内に入り、その後、モバイルネットワークプラットフォームに登録される。このとき、モバイルネットワークプラットフォームは、スマートカードが設けられたモバイル端末がロック待ち／ロック解除待ち状態にあることを検出する。この場合、スマートカード管理プラットフォームは、ロック／ロック解除カウンタを初期値にし、ステップＳ６０６へ遷移する（ステップＳ６１８）。
【０１１６】
端末がスマートカードロック／ロック解除に成功すると、応答待ちタイマを停止し、スマートカード有効化／無効化プロセスを終了する（ステップＳ６２０）。
【０１１７】
端末がスマートカードロック／ロック解除に失敗すると、応答待ちタイマを停止し、スマートカード有効化／無効化プロセスを終了する（ステップＳ６２２）。
【０１１８】
なお、この方法では、スマートカード管理プラットフォームは、周期的ロック／ロック解除タイマを更に含む。この方法では、ステップＳ６２２の後、スマートカードを周期的にロック／ロック解除する。周期的ロック／ロック解除プロセスは、以下のステップを含む。
【０１１９】
周期的ロック／ロック解除タイマの期間Ｍを設定し、タイマをスタートする。周期的ロック／ロック解除タイマがタイムアウトになると、ステップＳ７０４を実行する（ステップＳ７０２）。
【０１２０】
モバイルネットワークプラットフォームは、スマートカードが設けられたモバイル端末の現在の状態情報を検索する。スマートカードが設けられたモバイル端末が正常パワーオン状態にある場合、ステップＳ７０６へ遷移する。一方、スマートカードが設けられたモバイル端末がオフライン状態にある場合、ステップＳ７１２へ遷移する（ステップＳ７０４）。
【０１２１】
スマートカード管理プラットフォームは、応答待ちタイマを有効にし、スマートカードが設けられたモバイル端末にロック／ロック解除ショートメッセージを送信し、端末からの応答ショートメッセージを待つ（ステップＳ７０６）。
【０１２２】
スマートカードが設けられたモバイル端末は、ロック／ロック解除ショートメッセージを受信する。その後、モバイル端末は、当該ロック／ロック解除ショートメッセージに含まれるコマンドに従って、対応するスマートカードロック／ロック解除機能を実行する。モバイル端末は、スマートカードロック／ロック解除機能の実行が成功すると、スマートカード管理プラットフォームに実行成功ショートメッセージを返す（ステップＳ７０８）。
【０１２３】
スマートカード管理プラットフォームは、端末からのスマートカードロック／ロック解除実行成功ショートメッセージを受信した後、スマートカードの状態をロック／ロック解除状態に変更し、ステップＳ７３６へ遷移する（ステップＳ７１０と、
【０１２４】
スマートカードが設けられたモバイル端末がオフライン状態（パワーオフ状態や、パワーオンであるがサービスエリアに位置しない状態など）にある場合、スマートカード管理プラットフォームは、スマートカードの状態をロック待ち／ロック解除待ち状態に更新する（ステップＳ７１２）。
【０１２５】
ステップＳ７０６において、応答待ちタイマがタイムアウトになった後、スマートカード管理プラットフォームが、端末から返されるスマートカードロック／ロック解除実行成功ショートメッセージを受信していない場合、ステップＳ７１６へ遷移する（ステップＳ７１４）。
【０１２６】
スマートカード管理プラットフォームは、応答待ちタイマを停止し、周期的ロック／ロック解除タイマを再開し、ステップＳ７０２へ遷移する（ステップＳ７１６）。
【０１２７】
オフライン状態（パワーオフ状態や、パワーオンであるがサービスエリアに位置しない状態など）にある、スマートカードが設けられたモバイル端末が、パワーオンされ又はサービスエリア内に入り、その後、モバイルネットワークプラットフォームに登録される。このとき、モバイルネットワークプラットフォームは、スマートカードが設けられたモバイル端末がロック待ち／ロック解除待ち状態にあることを検出する。この場合、スマートカード管理プラットフォームは、ロック／ロック解除カウンタを初期値にし、ステップＳ７２６を実行する（ステップＳ７１８）。
【０１２８】
スマートカード管理プラットフォームは、応答待ちタイマを有効にし、スマートカードが設けられたモバイル端末にロック／ロック解除ショートメッセージを送信し、端末からの応答ショートメッセージを待つ（ステップＳ７２６）。
【０１２９】
スマートカードが設けられたモバイル端末は、ロック／ロック解除ショートメッセージを受信する。その後、モバイル端末は、当該ロック／ロック解除ショートメッセージに含まれるコマンドに従って、対応するスマートカードロック／ロック解除機能を実行する。モバイル端末は、スマートカードロック／ロック解除機能の実行が成功すると、スマートカード管理プラットフォームに実行成功ショートメッセージを返す（ステップＳ７２８）。
【０１３０】
スマートカード管理プラットフォームは、端末からのスマートカードロック／ロック解除実行成功ショートメッセージを受信する。その後、スマートカード管理プラットフォームは、スマートカードの状態をロック／ロック解除状態に変更し、ステップＳ７３６へ遷移する（ステップＳ７３０）。
【０１３１】
ステップＳ７２６において、応答待ちタイマがタイムアウトになった後、スマートカード管理プラットフォームが、端末から返されるロック／ロック解除実行成功ショートメッセージを受信していない場合、ステップＳ７３４へ遷移する（ステップＳ７３２）。
【０１３２】
スマートカード管理プラットフォームは、ロック／ロック解除カウンタの値を、現在のロック／ロック解除カウンタの値をデクリメントした値とする。スマートカード管理プラットフォームは、ロック／ロック解除カウンタの値が０より大きい場合、ステップＳ７２６へ遷移し、ロック／ロック解除ショートメッセージを再送する。一方、スマートカード管理プラットフォームは、ロック／ロック解除カウンタの値が０以下である場合、ステップＳ７０２へ遷移する（ステップＳ７３４）。
【０１３３】
端末がスマートカードロック／ロック解除に成功すると、スマートカード管理プラットフォームは、応答待ちタイマと周期的ロック／ロック解除タイマを停止し、スマートカード周期的有効化／無効化プロセスを終了する（ステップＳ７３６）。
【０１３４】
この方法では、ステップＳ２及びステップＳ６０２において、スマートカードが設けられたモバイル端末がロック／ロック解除コマンドを実行することによりスマートカードをロック／ロック解除する。このプロセスは、以下のステップを含む。
【０１３５】
物理ハードウェア（装置）を無効化することにより、スマートカードの機能を無効化し、物理ハードウェア（装置）を無効化することにより、スマートカードの決済機能を無効化する。あるいは、物理ハードウェア（装置）を有効化することにより、スマートカードの機能を有効化し、物理ハードウェア（装置）を有効化することにより、スマートカードの決済機能を有効化する（ステップＳ８０１）。
【０１３６】
プリインストールソフトウェア（装置）を実行することにより、スマートカードの機能を無効化し、プリインストールソフトウェア（装置）を実行することにより、スマートカードの決済機能を無効化する。あるいは、プリインストールソフトウェア（装置）を実行することにより、スマートカードの機能を有効化し、プリインストールソフトウェア（装置）を実行することにより、スマートカードの決済機能を有効化する（ステップＳ８０２）。
【０１３７】
上記ステップＳ８０２において、プリインストールソフトウェア（装置）は、スマートカードにプリインストールしてもよく、スマートカードが設けられたモバイル端末にプリインストールしてもよい。
【０１３８】
スマートカードが設けられた端末にソフトウェアをプリインストールした場合、モバイル端末がロック／ロック解除コマンドを実行するステップは、以下のステップを含む。
【０１３９】
スマートカード内の決済データを破壊する（ステップＳ９００）。
【０１４０】
端末にプリインストールされたプリインストールソフトウェアのスマートカードロック／ロック解除プログラムを実行する（ステップＳ９０２）。
【０１４１】
スマートカードにソフトウェアをプリインストールした場合、モバイル端末がロック／ロック解除コマンドを実行するステップは、以下のステップを含む。
【０１４２】
スマートカードにプリインストールされたプリインストールソフトウェアのスマートカードロック／ロック解除プログラムを、端末にコピーする（ステップＳ１００２）。
【０１４３】
スマートカード内の決済データを破壊する（ステップＳ１００４）。
【０１４４】
端末にコピーされた、プリインストールソフトウェアのスマートカードロック／ロック解除プログラムを実行する（ステップＳ１００６）。
【０１４５】
なお、ステップＳ６０４において、スマートカード管理プラットフォームは、モバイルネットワークプラットフォームを介して、スマートカードが設けられたモバイル端末の現在の状態情報を検索する。モバイルネットワークプラットフォームは、モバイル端末のモバイル識別コード及び位置エリア情報に応じて、モバイル端末の状態情報を検出する。
【０１４６】
ステップＳ６１８において、オフライン状態（パワーオフ状態や、パワーオンであるがサービスエリアに位置しない状態など）にある、スマートカードが設けられたモバイル端末が、パワーオンされ又はサービスエリア内に入り、その後、モバイルネットワークプラットフォームに登録される。このとき、モバイルネットワークプラットフォームは、スマートカードが設けられたモバイル端末がロック待ち／ロック解除待ち状態にあることを検出する。この場合、スマートカード管理プラットフォームは、ロック／ロック解除カウンタを初期値にセットする。
【０１４７】
本発明のまた１つの側面によれば、ショートメッセージに基づく、電子決済用スマートカードの遠隔無効化／有効化システムが提供される。このシステムは、モバイル端末側と、スマートカード管理プラットフォームとを備える。
【０１４８】
モバイル端末側は、モバイル端末と、決済機能を有する埋込型スマートカード又は外部スマートカードチップとを含む。モバイル端末側は、モバイルネットワークプラットフォームを通して、スマートカード管理プラットフォームと通信を行う。モバイルネットワークプラットフォームとは、モバイルネットワークに必要な設備であり、例えば、ネットワークスイッチ（スイッチングハブ）、基地局やショートメッセージゲートウェイなどのようなモバイルネットワークアクセスポイントである。モバイル端末側は、スマートカード管理プラットフォームからモバイル端末に送信された、スマートカードロック／ロック解除ショートメッセージを受信して処理する。
【０１４９】
スマートカード管理プラットフォームは、ユーザからのスマートカード有効化／無効化要求を受信し、モバイルネットワークプラットフォームを介してモバイル端末側と通信を行う。スマートカード管理プラットフォームは、ユーザからのスマートカードロック／ロック解除要求を受信すると、モバイルネットワークプラットフォームを介して、モバイル端末側に、スマートカードロック／ロック解除ショートメッセージを送信する。
【０１５０】
上記のように、スマートカードは、ｓｉｍカード、Ｒ−ＵＩＭカード、ｕｓｉｍカード、ｃｓｉｍカード、ＵＩＣＣカード、ｊａｖａカード、ＡＴＭカード、交通カード、プリペイドカード、及びこれらが組み合わせられたカードであるが、これに限られない。
【０１５１】
モバイル端末は、ＧＳＭ、ＣＤＭＡ、ＷＣＤＭＡ、Ｔｄ−Ｓｃｄｍａ、ｃｄｍａ２０００、データカード、固定局、ＬＴＥ、ＬＴＥ＋などの標準端末、及びそれらの任意の組み合わせのマルチモード端末であるが、これに限られない。
【０１５２】
なお、本発明の実施形態において、スマートカード管理プラットフォームと端末側との間のインタラクションは、無線ダウンロード（Ｏｖｅｒ  Ｔｈｅ  Ａｉｒ：ＯＴＡ）技術により実現することが可能である。ただし、ＯＴＡ技術は、ベアラ独立プロトコル（Ｂｅａｒｅｒ  Ｉｎｄｅｐｅｎｄｅｎｔ  Ｐｒｏｔｏｃｏｌ：ＢＩＰ）と、ショートメッセージチャネルとを含んでもよい。
【０１５３】
本発明によれば、決済用ユーザ端末が強奪、紛失又は盗難されたり、重大な不正行為が決済用ユーザ端末で発生することで生じる損失を避けることができる。システム負荷とユーザのスマートカードのセキュリティとのバランスが総合的に考慮される。転送プロセスにおけるショートメッセージの紛失及び遅延によるサービスフローに対する影響が抑えられる。これにより、スマートカード無効化／有効化を達成し、より柔軟性の高い決済システムが提供される。
【０１５４】
本発明の実施形態によれば、スマートカード遠隔制御システムが提供される。
【０１５５】
当該システムは、要求装置と、通信装置と、実行装置とを含んでよい。
【０１５６】
具体的には、要求装置は、ユーザからの要求を取得する。通信装置は、モバイルネットワークプラットフォームとモバイル端末との間のインタラクションを実行する。通信装置は、また、モバイルネットワークプラットフォームとカード管理プラットフォームとの間の通信及びデータ同期を実行する。実行装置は、モバイル端末がスマートカードロック／ロック解除を実行するのに用いられる。
【０１５７】
図１１は、本発明の実施形態に係る好ましいスマートカード遠隔制御システムの模式図である。
【０１５８】
図１１に示すように、当該システムは、モバイルネットワークプラットフォーム１０３と、モバイル端末１０１と、スマートカード管理プラットフォーム１０７と、決済システムプラットフォーム１０５とを含む。モバイルネットワークプラットフォーム１０３及びスマートカード管理プラットフォーム１０７は、いずれも決済システムプラットフォーム１０５に接続される。
【０１５９】
モバイルネットワークプラットフォーム１０３は、モバイル端末にロック／ロック解除ショートメッセージコマンドを送信する。モバイル端末１０１は、ロック／ロック解除コマンドを実行し、スマートカードをロック／ロック解除する。
【０１６０】
好ましくは、ユーザ１０９が、スマートカード管理プラットフォーム１０７に、スマートカードロック／ロック解除を要求すると、スマートカード管理プラットフォーム１０７は、モバイルネットワークプラットフォームを介して、スマートカードが設けられたモバイル端末の現在の状態情報を検索する。スマートカードが設けられたモバイル端末が正常パワーオン状態にある場合、モバイルネットワークプラットフォーム１０３は、スマートカードが設けられたモバイル端末１０１に、ロック／ロック解除コマンドを直接送信する。スマートカードが設けられたモバイル端末１０１は、このロック／ロック解除コマンドを実行してスマートカードをロック／ロック解除する。その後、モバイル端末１０１は、モバイルネットワークプラットフォーム１０３に実行成功ショートメッセージ返す。モバイルネットワークプラットフォーム１０３は、スマートカードの状態をロック／ロック解除状態に変更する。モバイルネットワークプラットフォーム１０３は、スマートカード管理プラットフォーム１０７に通知し、スマートカードの状態をロック／ロック解除状態に更新させる。一方、スマートカードが設けられたモバイル端末１０１がオフライン状態（パワーオフ状態や、パワーオンであるがサービスエリアに位置しない状態など）にある場合、モバイルネットワークプラットフォーム１０３は、スマートカードの状態をロック待ち／ロック解除待ち状態に更新し、スマートカード管理プラットフォーム１０７に通知して状態データベースを更新させる。
【０１６１】
図１２は、本発明の実施形態に係るモバイル端末の模式図である。
【０１６２】
図１２に示すように、モバイル端末は、受信モジュール１１１と、実行モジュール１１３と、送信モジュール１１５とを含む。
【０１６３】
受信モジュール１１１は、スマートカードのロック／ロック解除ショートメッセージ要求を受信する。実行モジュール１１３は、スマートカードのロック／ロック解除を実行する。送信モジュール１１５は、変更成功メッセージを送信する。
【０１６４】
図１３は、本発明の実施形態に係るモバイルネットワークプラットフォームの模式図である。
【０１６５】
図１３に示すように、当該モバイルネットワークプラットフォームは、検索モジュール１２１と、送信モジュール１２３と、変更モジュール１２５と、通知モジュール１２７と、更新モジュール１２９と、タイミングモジュール１３１とを含む。
【０１６６】
具体的には、検索モジュール１２１は、スマートカードが設けられたモバイル端末の状態情報を検索する。送信モジュール１２３は、モバイル端末の状態情報が、モバイル端末が正常使用状態にあることを示す場合、モバイル端末にロック／ロック解除コマンドを送信する。変更モジュール１２５は、スマートカードの状態をロック／ロック解除状態に変更する。通知モジュール１２７は、スマートカード管理プラットフォームに通知し、スマートカードの状態をロック／ロック解除状態に更新させる。更新モジュール１２９は、状態情報が、スマートカードが設けられたモバイル端末がオフライン状態にあることを示す場合、スマートカードの状態をロック待ち／ロック解除待ち状態に更新する。タイミングモジュール１３１は、モバイル端末にロック／ロック解除コマンドを送信する時間を設定する。
【０１６７】
以上、本発明によれば、決済用ユーザ端末が強奪、紛失又は盗難されたり、重大な不正行為が決済用ユーザ端末で発生することで生じる損失を避けることができる。また、より柔軟性の高い決済システムが提供される。
【０１６８】
以上は、本発明の最適な実施形態に過ぎず、本発明を限定するものではない。本技術分野の当業者は、本発明を各種変更及び変形し得る。本発明の要旨と原則に反しない限り、いかなる変形、置換及び改良等も、本発明の保護範囲内に含まれるべきである。
【図１】
0005605733.tif 000002
【図２】
0005605733.tif 000003
【図３】
0005605733.tif 000004
【図４】
0005605733.tif 000005
【図５】
0005605733.tif 000006
【図６】
0005605733.tif 000007
【図７】
0005605733.tif 000008
【図８】
0005605733.tif 000009
【図９】
0005605733.tif 000010
【図１０】
0005605733.tif 000011
【図１１】
0005605733.tif 000012
【図１２】
0005605733.tif 000013
【図１３】
0005605733.tif 000014